(57)【要約】【課題】    ワイヤハーネスの露出部分を隠蔽することができるようにしたスライドシートの給電構造を提供すること。【解決手段】  フロア側の固定部１２とスライドシート下面側の支持部１３との間にワイヤハーネス１０を配設し、スライドシート３０のスライドに伴って移動するワイヤハーネス１０を摺動可能に挿通する開口部２１と、フロア側の固定部１２でワイヤハーネス１０が貫通する孔部２２とを有するカバー部材２０によりワイヤハーネス１０を覆い、該カバー部材２０の内部でワイヤハーネス１０が揺動可能とした。【選択図】            図１
2005035456.tif 000002
【特許請求の範囲】
【請求項１】
車両のフロアと、該フロア上に設けた２本のレールに案内されて移動するスライドシートとの間に配設されるワイヤハーネスによって、スライドシートに設けられた電装品に電力を供給する給電構造であって、
前記フロア側の固定部と前記スライドシート下面側の支持部との間に配設されるワイヤハーネスと、
前記スライドシート下面側の支持部から延出したワイヤハーネスが挿通され、前記スライドシートのスライドに伴って移動するワイヤハーネスを摺動可能に受け入れる開口部と、フロア側の固定部でワイヤハーネスが貫通する孔部とを有し、その内部で前記ワイヤハーネスが揺動可能としたカバー部材と、
からなることを特徴とするスライドシートの給電構造。
【請求項２】
請求項１に記載のスライドシートの給電構造において、
前記カバー部材は、２本のレールの間に設置され、前記開口部がレールと略平行に、かつ前記スライドシート下面に向けて開口していることを特徴とするスライドシートの給電構造。
【請求項３】
請求項１または請求項２に記載のスライドシートの給電構造において、
前記カバー部材の開口部が前記フロア面に敷設されたカーペット上面と略同一面に開口していることを特徴とするスライドシートの給電構造。
【請求項４】
請求項１ないし請求項３のいずれか１項に記載のスライドシートの給電構造において、
前記スライドシート下面側の支持部は、前記スライドシートの移動に伴って、前記ワイヤハーネスを回動可能に支持していることを特徴とするスライドシートの給電構造。
【発明の詳細な説明】
【技術分野】
【０００１】
本発明は、スライドシートの給電構造に関し、特にスライド量の大きなシートに用いて好適なスライドシートの給電構造に関する。
【背景技術】
【０００２】
自動車の運転席や助手席のシートには、着座姿勢を調整するモータやシートベルトバックルにタングが装着されたことを検知する検出スイッチ等の電装品が取り付けられるものがある。このようなシートの場合には、これらの電装品に電気を供給するためのワイヤハーネスが連結される。
そして、これらのシートが前後方向の位置調整が可能なスライドシートであるときは、ワイヤハーネスはシートのスライドに対応して変位できるようにする必要がある。
【０００３】
運転席や助手席のシートは、比較的スライド量が小さいため、ワイヤハーネスの変位量も小さくてすむが、近年、１ＢＯＸ車の２列目、３列目シート等のように、前後に大きくスライドするスライドシートを装備する車両が増加し、このようなスライドシートではワイヤハーネスの変位量が大きくなる。
【０００４】
スライド量の小さなスライドシートでのワイヤハーネスの支持構造が、特開平１１−１０５６４１号公報（以下、「特許文献１」という。）に開示されている。
特許文献１に記載の「スライドシートのワイヤハーネス」は、その図１、図２に示されるように、ワイヤハーネスのフロア側の固定点をシート側固定点の、シートのスライドによる移動範囲の中央位置に設け、フロア側固定点では上方に向かう指向性が付与され、シート側固定点では、横方向に向かう指向性が付与された状態で配設されているものである。
【特許文献１】特開平１１−１０５６４１号公報
【発明の開示】
【発明が解決しようとする課題】
【０００５】
ところが、従来の運転席や助手席、あるいは上記特許文献１に記載のスライドシートでは、最も前側にスライドした時のシートの後端と最も後側にスライドしたときのシートの前端が軌跡上で重なる程度の移動量を有するものであり、したがって、ワイヤハーネスのシート側の固定点とフロア側の固定点とをシートにより隠蔽される範囲内に設定することができる。
【０００６】
しかし、シートの移動量が大きく、最も前側にスライドした時のシートの後端と最も後側にスライドしたときのシートの前端が軌跡上で重ならないような移動量の場合には、ワイヤハーネスの特にフロア側固定点に近い部分がフロア上に露出するという問題が生じてしまう。
ワイヤハーネスが露出したままであると、乗員によって踏みつけられたり、見栄えが悪いという問題がある。
このため、ワイヤハーネスの露出部分を隠蔽する必要があったが、シートの移動量と両立させることは困難であった。
【０００７】
そこで、本発明は、かかる課題を解決すべく、ワイヤハーネスの露出部分を隠蔽することができるようにしたスライドシートの給電構造を提供することを目的とする。
【課題を解決するための手段】
【０００８】
本発明に係る請求項１に記載のスライドシートの給電構造は、車両のフロアと、該フロア上に設けた２本のレールに案内されて移動するスライドシートとの間に配設されるワイヤハーネスによって、スライドシートに設けられた電装品に電力を供給する給電構造であって、前記フロア側の固定部と前記スライドシート下面側の支持部との間に配設されるワイヤハーネスと、前記スライドシート下面側の支持部から延出したワイヤハーネスが挿通され、前記スライドシートのスライドに伴って移動するワイヤハーネスを摺動可能に受け入れる開口部と、フロア側の固定部でワイヤハーネスが貫通する孔部とを有し、その内部で前記ワイヤハーネスが揺動可能としたカバー部材と、からなることを特徴とする。
よって、スライドシートの移動に伴って露出するワイヤハーネスの部分をカバー部材で隠蔽でき、ワイヤハーネスは開口部からのみ露出するので、露出部を最少にすることができる。
【０００９】
また、本発明に係る請求項２に記載のスライドシートの給電構造は、請求項１に記載のスライドシートの給電構造において、前記カバー部材が、２本のレールの間に設置され、前記開口部がレールと略平行に、かつ前記スライドシート下面に向けて開口していることを特徴とする。
よって、スライドシートの移動に伴うワイヤハーネスの前記スライドシート下面側の支持部の移動方向と前記開口部の開口方向が平行となり、前記支持部から延出するワイヤハーネスの部分が常に一定の露出量となり、見栄えが変わらない。
【００１０】
また、本発明に係る請求項３に記載のスライドシートの給電構造は、請求項１または請求項２に記載のスライドシートの給電構造において、前記カバー部材の開口部が前記フロア面に敷設されたカーペット上面と略同一面に開口していることを特徴とする。
よって、フロア面が略平面となるため、スライドシートへの着座者は、開口部を意識することなく着座することができる。
【００１１】
また、本発明に係る請求項４に記載のスライドシートの給電構造は、請求項１ないし請求項３のいずれか１項に記載のスライドシートの給電構造において、前記スライドシート下面側の支持部が、前記スライドシートの移動に伴って、前記ワイヤハーネスを回動可能に支持していることを特徴とする。
よって、スライドシートの移動に伴い支持部が回動して、フロア側の固定部に対するワイヤハーネスの角度が変化しても、ワイヤハーネスを捻ることなく追従することができ、ワイヤハーネスの寿命を延長することができる。
【発明の効果】
【００１２】
本発明は、車両のフロアと、該フロア上に設けた２本のレールに案内されて移動するスライドシートとの間に配設されるワイヤハーネスによって、スライドシートに設けられた電装品に電力を供給する給電構造であって、前記フロア側の固定部と前記スライドシート下面側の支持部との間に配設されるワイヤハーネスと、前記スライドシート下面側の支持部から延出したワイヤハーネスが挿通され、前記スライドシートのスライドに伴って移動するワイヤハーネスを摺動可能に受け入れる開口部と、フロア側の固定部でワイヤハーネスが貫通する孔部とを有し、その内部で前記ワイヤハーネスが揺動可能としたカバー部材と、から構成したので、スライド量がスライドシートの長さより大きい場合でも、ワイヤハーネスが室内に露出することなく、ワイヤハーネスを安全に保護することが可能となる。
【発明を実施するための最良の形態】
【００１３】
次に、本発明に係るスライドシートの給電構造の一の実施の形態について図面を参照して以下に説明する。本実施の形態のスライドシートの給電構造は、１ＢＯＸ車の後席に設けられたものである。
ここで、図１は、スライドシートの移動状況を示した斜視図であり、図２は、その平面概略図である。
【実施例１】
【００１４】
（構成）スライドシートの給電構造の構成について説明する。スライドシート３０は、図１に示すように、シートクッション３１とシートバック３２とこれらシートクッション３１とシートバック３２とを支持するシートレッグ３３とから構成され、その内部には電動リクライニング用モータやランバサポート用モータあるいはシートベルト装着検知スイッチ等の電装品が設置されている。
そして、スライドシート３０は、車両ボデーのフロアパネル５１上に敷設された左右一対のレール６０、６０上をスライド可能に支持されており、そのスライド量は、本実施の形態の場合スライドシート３０のスライド方向の長さより長い約７００ｍｍに設定されている。
【００１５】
したがって、スライドシート３０をその最前位置より最後位置までスライドさせたときに、最後位置でのスライドシート３０の前端は、最前位置におけるスライドシート３０の後端が位置していた場所より後方の位置までスライドする。
すなわち、図１、図２に示すように、スライドシート３０には、スライド量Ｓに対して、離れ量Ｔが発生する。
【００１６】
スライドシート３０に設置した電装品に電力を給電するためのワイヤハーネス１０が、スライドシート３０の下面とフロア５０上面との間に配設される。
ワイヤハーネス１０は、左右のレール６０、６０の間でフロア５０側の固定部１２において、クランプ１２２によりフロアパネル５１に固定されるとともに、スライドシート３０の下面側で左右のシートレッグ３３間に橋渡しした支持フレーム３３１に設けた支持部１３に支持されている。
【００１７】
フロア側固定部１２は、支持部１３の移動軌跡の略中央に設定されている。
支持部１３において、ワイヤハーネス１０の上部は、図３に示すように、Ｌ型パイプ状の回動子１３１内に挿通されて支持フレーム３３１に対して略直角に上方に向かうように支持されている。
回動子１３１は、支持フレーム３３１に固定された軸受３３２により回動可能に支持されている。
【００１８】
一方、左右のレール６０、６０の間で、前述した離れ量Ｔよりも長い開口部２１を有するカバー部材２０が、該開口部２１を上方に向けて開口するようにフロア５０に取り付けられている。
カバー部材２０は、図３、図４に示すように、スライドシート３０の下面に向かって（即ち、上方に向かって）開口する長尺の開口部２１の周囲に形成された幅広のフランジ部２１１と、開口部２１の一方（図示右側）の長辺を底辺として略三角形状に延在する上面壁２１２と、上面壁２１２の二つの斜辺から下方に延びる縦壁２１３、２１３と、前後で縦壁２１３、２１３と連続し、開口部２１の他方の長辺から下方に延びる後壁２１５と、この後壁２１５の内側から前記三角形の頂点に向かって下方に傾斜しながら湾曲して延びるガイド面２１４とから構成され、合成樹脂材料で成形したものである。
開口部２１の長手方向の中央部は、前記支持部１３のスライド方向中央部と一致するように設定される。
【００１９】
前記カバー部材２０の三角形の頂点となる付近は、上面壁２１２と縦壁２１３、２１３とから囲まれ、下向きに開口するコ字形断面形状とされ、その先端部に孔部２２を形成している。
フランジ部２１１と上面壁２１２との間には、カーペット５２の厚さと略同一の隙間が形成され、カーペット５２が挿入可能とされており、フランジ部２１１の下面から縦壁２１３、２１３、ガイド面２１４および後壁２１５の下端までの高さは、フロア５０に敷き詰められる防音材５３の厚さと略同一としてある。
【００２０】
つぎに、ワイヤハーネス１０とカバー部材２０の取り付け方法を説明する。ワイヤハーネス１０を予めカバー部材２０の開口部２１に挿通して、該開口部２１から上方にワイヤハーネス１０の回動子１３１側が引き出された状態としておく。
そして、回動子１３１を軸受３３２を介して支持フレーム３３１に取り付けるとともに、ワイヤハーネス１０のフロア側固定部１２をクランプ１２２によりフロアパネル５１に固定する。
【００２１】
その後、カバー部材２０をその開口部２１の長手方向がレール６０と略平行となるように、かつ、孔部２２がワイヤハーネス１０のフロア側固定部１２を覆い、ワイヤハーネス１０の固定部１２のＬ字部１２１が孔部２２から出るようにフロア５０上に配置する。
カバー部材２０は、防音材５３がカバー部材２０の形状に合わせて成形してあり、カーペット５２の縁部がカバー部材２０のフランジ部２１１と上面壁２１２との間に挿入されることにより、ボルト等を使わずに取り付けられる。
【００２２】
（作用）以上のようにして取り付けられたスライドシートの給電構造の作用について説明する。図２および図５（Ａ）に示すように、スライドシート３０がスライドの前端に位置しているときは、ワイヤハーネス１０のスライドシート下面側の支持部１３も最前の位置にあり、ワイヤハーネス１０は、支持部１３の回動子１３１から、カバー部材２０の開口部２１をその略前端部で貫通して、フロア側固定部１２に向かって略直線状に延びている。
スライドシート３０をスライド前端の位置から徐々に後方にスライドさせていくと、図５（Ｂ）に示すように、スライドシート下面側の支持部１３も後方に移動し、ワイヤハーネス１０は、軸受３３２を介して回動子１３１を回動させながら、く字状に湾曲しつつ開口部２１内を摺動する。
【００２３】
そして、スライドシート下面側の支持部１３がフロア側固定部１２から開口部２１の長手方向に対して引いた垂線（図５（Ｃ）の一点鎖線）と開口部２１が交差する位置を通過すると、図５（Ｃ）に示すように、ワイヤハーネス１０が回動子１３１を回動させてその向きを反転させ、図５（Ｄ）に示すように、ワイヤハーネス１０は固定部１２を中心にして揺動しながらスライド後端の位置まで移動する。このとき、ワイヤハーネス１０は開口部２１の略後端部で貫通している。
【００２４】
したがって、図２に示すように、開口部２１の前後端部からワイヤハーネス１０が貫通する部分をスライドシート３０のシートレッグ３３により隠蔽するように開口部２１の長さを設定すると、スライドシート３０がスライドしてもワイヤハーネス１０がスライドシート３０の下面から露出することがなく、カバー部材２０の開口部２１のみが現れるだけであり、見栄えのよいフロアが形成できる。
【００２５】
このように、フロア側の固定部１２とスライドシート下面側の支持部１３との間にワイヤハーネス１０を配設し、スライドシート３０のスライドに伴って移動するワイヤハーネス１０を摺動可能に挿通する開口部２１と、フロア側の固定部１２でワイヤハーネス１０が貫通する孔部２２とを有するカバー部材２０により、該カバー部材２０の内部でワイヤハーネス１０が揺動可能としたので、スライドシート３０を、そのスライドシート３０の長さより大きな移動量でスライドさせても、ワイヤハーネス１０がスライドシート３０の下面より露出することがなく、長いスライド量のスライドシートを設定しても見栄えのよいフロア面を構成することが可能となった。
【実施例２】
【００２６】
なお、本発明は前記実施の形態のものに限定されるものではなく、その趣旨を逸脱しない範囲で様々な変更が可能である。
例えば、前記実施の形態では、内部に電動リクライニング用モータやランバサポート用モータあるいはシートベルト装着検知スイッチ等の電装品が装着されたスライドシートの給電構造で説明したが、これに限られず、福祉車両等に用いられる、電動でスライドしながら回転するようなスライド回転シートのモータに給電する構造としても利用が可能である。
【産業上の利用可能性】
【００２７】
車両の前後方向にスライドするスライドシートばかりではなく、左右方向にスライドするスライドシートにも適用できる。
【図面の簡単な説明】
【００２８】
【図１】本発明の一の実施の形態に係る給電構造を装着したスライドシートの移動状況を示した斜視図である。
【図２】本発明の一の実施の形態に係る給電構造を装着したスライドシートの移動状況を示した平面概略図である。
【図３】本発明の一の実施の形態に係るスライドシートの給電構造の正面断面図である。
【図４】本発明の一の実施の形態に係るスライドシートの給電構造の斜視図である。
【図５】本発明の一の実施の形態に係るスライドシートの給電構造の、カバー部材に対するワイヤハーネスの動作を示す説明図である。
【符号の説明】
【００２９】
１０          ワイヤハーネス
１２          フロア側固定部
１３          スライドシート下面側支持部
１３１        回動子
２０          カバー部材
２１          開口部
２１１        フランジ部
２２          孔部
３０          スライドシート
３３１        支持フレーム
３３２        軸受
５０          フロア
６０          レール
【図１】
2005035456.tif 000003
【図２】
2005035456.tif 000004
【図３】
2005035456.tif 000005
【図４】
2005035456.tif 000006
【図５】
2005035456.tif 000007